(57)【特許請求の範囲】
【請求項１】
容器体口頸部へ嵌合させるキャップ状部内から、吸上げパイプ付きの主筒を起立させて該主筒上部から射出筒を前方突出させ、該射出筒前部から前後方向への揺動が可能に垂下させたトリガーの揺動操作で、上記射出筒後部下方に付設したシリンダ内へ嵌合させたプランジヤが揺動されて、容器体内液体をシリンダ内へ吸込み、かつ該シリンダ内液体を射出筒前端へ嵌合させたノズルから噴出可能とした液体噴出器において、
上記シリンダ内へ液体吸込みするための吸込み弁７を射出筒４の後端部内に、又シリンダ内液体をノズルから噴出するための吐出弁８を射出筒４の前部内に、それぞれ設けて、
それ等吸込み弁と吐出弁との間の射出筒部分内とシリンダ３内とを液体出入路９で連通させ、
又上記主筒２内へ、射出筒４後端部内と連通させる透孔21を有する第１弁筒22を嵌着させて、該第１弁筒の下部から上記吸上げパイプ23を垂下させると共に、
該第１弁筒外面と主筒２内面との間に容器体上部内と第１弁筒の上部内とを連通させる、倒立時用液体吸込み路形成用溝24を穿設し、又第１弁筒上部に設けた上記溝24の開口部24a と該開口部下方の上記透孔21との間の第１弁筒部分内へ、玉弁式の正立時用空気吸込み防止弁25を設けた
ことを特徴とする正倒立兼用のトリガー式液体噴出器。
【請求項２】
上記透孔21と吸上げパイプ23上端との間の第１弁筒部分内へ、玉弁式の倒立時用空気吸込み防止弁29を設けた
ことを特徴とする請求項１記載の正倒両用のトリガー式液体噴出器。
【請求項３】
容器体口頸部へ嵌合させるキャップ状部内から、吸上げパイプ付きの主筒を起立させて該主筒上部から射出筒を前方突出させ、該射出筒前部から前後方向への揺動が可能に垂下させたトリガーの揺動操作で、上記射出筒後部下方に付設したシリンダ内へ嵌合させたプランジヤが揺動されて、容器体内液体をシリンダ内へ吸込み、かつ該シリンダ内液体を射出筒前端へ嵌合させたノズルから噴出可能とした液体噴出器において、
上記シリンダ内へ液体吸込みするための吸込み弁７を射出筒４の後端部内に、又シリンダ内液体をノズルから噴出するための吐出弁８を射出筒４の前部内に、それぞれ設けて、
それ等吸込み弁と吐出弁との間の射出筒部分内とシリンダ３内とを液体出入路９で連通させ、
又上記主筒２内へ、射出筒４後端部内と連通させる透孔21を有する第１弁筒22を嵌着させ、かつ該第１弁筒外面と主筒２内面との間に容器体内と第１弁筒の上部内とを連通させる、倒立時用液体吸込み路形成用溝24を穿設し、又第１弁筒上部に設けた上記溝24の開口部24a と該開口部下方の上記透孔21との間の第１弁筒部分内へ、玉弁式の正立時用空気吸込み防止弁25を設け、
更に透孔21下方の第１弁筒部分内に玉弁式の倒立時用空気吸込み防止弁29を有する第２弁筒35を嵌着させ、該第２弁筒下部内から吸上げパイプ23を垂設した
ことを特徴とする正倒立兼用のトリガー式液体噴出器。
【発明の詳細な説明】
【０００１】
【発明の属する技術分野】
本発明は正倒立兼用のトリガー式液体噴出器に関する。
【０００２】
【従来の技術】
容器体口頸部へ嵌合させるキャップ状部から、吸上げパイプ付きの主筒を起立し、該主筒上部から前方突設した射出筒の前部から揺動自在にトリガーを垂設し、該トリガーの操作で、射出筒後部下方に付設したシリンダ内へ嵌合されたプランジヤを揺動させることで、容器体内液体を吸込み弁を介してシリンダ内へ吸込み、又該シリンダ内液体を吐出弁を介して射出筒前端に嵌合されたノズルから噴出するよう設けたトリガー式液体噴出器が広く一般に使用されている。
【０００３】
【発明が解決しようとする課題】
上記液体噴出器は正立使用のためのものであるが、用途拡大に伴い倒立状態でも液体噴出できるようにすることが望まれている。
本発明は従来用いられていた正立使用の液体噴出器の一部を変更して、正倒立兼用の液体噴出器とすることが容易であるよう設けたものである。
【０００４】
【課題を解決するための手段】
第１の手段として容器体口頸部へ嵌合させるキャップ状部内から、吸上げパイプ付きの主筒を起立させて該主筒上部から射出筒を前方突出させ、該射出筒前部から前後方向への揺動が可能に垂下させたトリガーの揺動操作で、上記射出筒後部下方に付設したシリンダ内へ嵌合させたプランジヤが揺動されて、容器体内液体をシリンダ内へ吸込み、かつ該シリンダ内液体を射出筒前端へ嵌合させたノズルから噴出可能とした液体噴出器において、
上記シリンダ内へ液体吸込みするための吸込み弁７を射出筒４の後端部内に、又シリンダ内液体をノズルから噴出するための吐出弁８を射出筒４の前部内に、それぞれ設けて、
それ等吸込み弁と吐出弁との間の射出筒部分内とシリンダ３内とを液体出入路９で連通させ、
又上記主筒２内へ、射出筒４後端部内と連通させる透孔21を有する第１弁筒22を嵌着させて、該第１弁筒の下部から上記吸上げパイプ23を垂下させると共に、該第１弁筒外面と主筒２内面との間に容器体上部内と第１弁筒の上部内とを連通させる、倒立時用液体吸込み路形成用溝24を穿設し、又第１弁筒上部に設けた上記溝24の開口部24a と該開口部下方の上記透孔21との間の第１弁筒部分内へ、玉弁式の正立時用空気吸込み防止弁25を設けた。
【０００５】
第２の手段として、上記第１の手段を有すると共に上記透孔21と吸上げパイプ23上端との間の第１弁筒部分内へ、玉弁式の倒立時用空気吸込み防止弁29を設けた。
【０００６】
第３の手段として容器体口頸部へ嵌合させるキャップ状部内から、吸上げパイプ付きの主筒を起立させて該主筒上部から射出筒を前方突出させ、該射出筒前部から前後方向への揺動が可能に垂下させたトリガーの揺動操作で、上記射出筒後部下方に付設したシリンダ内へ嵌合させたプランジヤが揺動されて、容器体内液体をシリンダ内へ吸込み、かつ該シリンダ内液体を射出筒前端へ嵌合させたノズルから噴出可能とした液体噴出器において、
上記シリンダ内へ液体吸込みするための吸込み弁７を射出筒４の後端部内に、又シリンダ内液体をノズルから噴出するための吐出弁８を射出筒４の前部内に、それぞれ設けて、
それ等吸込み弁と吐出弁との間の射出筒部分内とシリンダ３内とを液体出入路９で連通させ、
又上記主筒２内へ、射出筒４後端部内と連通させる透孔21を有する第１弁筒22を嵌着させ、かつ該第１弁筒外面と主筒２内面との間に容器体内と第１弁筒の上部内とを連通させる、倒立時用液体吸込み路形成用溝24を穿設し、又第１弁筒上部に設けた上記溝24の開口部24a と該開口部下方の上記透孔21との間の第１弁筒部分内へ、玉弁式の正立時用空気吸込み防止弁25を設け、
更に透孔21下方の第１弁筒部分内に玉弁式の倒立時用空気吸込み防止弁29を有する第２弁筒35を嵌着させ、該第２弁筒下部内から吸上げパイプ23を垂設した。
【０００７】
【発明の実施の形態】
まず従来公知の構造部分について簡単に説明すると、１は容器体口頸部外面へ嵌合させるキャップ状部であり、該キャップ状部からは、主筒２を起立し、該主筒前面からシリンダ３を、又主筒上部から射出筒４を、それぞれ前方突出する。射出筒前部からは前後方向への揺動が可能にトリガー５が垂下され、該トリガー上部には上記シリンダ内へ嵌合させて前方突設したプランジヤ６前部を連結している。
【０００８】
通常公知例では、上記主筒２の中間部にシリンダ３との連通路を設けて、該連通路下方の主筒内部分に吸込み弁を設け、又連通路上方の主筒部分に吐出弁を設けて該吐出弁上方の主筒部分に射出筒と連通する透孔を穿設し、トリガーの操作でプランジヤが揺動し、すると吸込み弁を通ってシリンダ内へ主筒から垂下された吸上げパイプを通って容器体内液体が吸込みされ、又該シリンダ内液体はシリンダ内狭少化で吐出弁を通り、射出筒前端に嵌合されたノズル19から噴出可能としている。
【０００９】
本発明にあっては、上記射出筒４の後部内に吸込み弁７を、又射出筒前部内に吐出弁８を設け、それ等吸込み弁と吐出弁との間の射出筒部分内とシリンダ３内とを液体出入路９で連通させた。
【００１０】
それ等両弁および液体出入路は、例えば次のように形成することが出来る。図示例のように射出筒４内へ棒状弁部材11を嵌合させ、該棒状部材は前棒部12と後棒部13とを圧縮バネ片14で連結して形成し、前棒部12後部の外面へ付設した複数の係合子15先端を射出筒内壁面へ圧接させて該後棒部を射出筒４内面に固定し、又後棒部後端に付設した吸込み弁体16を射出筒後壁に穿設した弁孔17に圧接させて吸込み弁７とし、前棒部12の中間部から前外方へ拡開突設した弾性弁体18外周を、前棒部12の前部へ嵌合させたノズル19の内筒19a の後端から後方突出する薄肉筒19b 内面へ圧接させて吐出弁８を形成し、更に射出筒４後部にシリンダ３と連通する液体出入路９を設ける。
【００１１】
又本発明にあっては、図１が示すように上記主筒２内へ、射出筒４内と連通させる透孔21を有する第１弁筒22を嵌合させ、かつ透孔21下方の第１弁筒部分内から吸上げパイプ23を垂下させ、その第１弁筒外面と主筒２内面との間に容器体上部内と第１弁筒の上端部内とを連通させる、倒立時用液体吸込み路形成用溝24を穿設し、又第１弁筒上端部に設けた上記溝24の開口部24a と該開口部下方の上記透孔21との間の第１弁筒部分内は、玉弁式の正立時用空気吸込み防止弁25を設けた。上記溝24は第１弁筒22外面へ、その下端から上端まで縦設し、該溝上端部を切欠きして開口部24a とし、該開口部下方の筒部分を小内径部としてその上面を上部大径のテーパ状第１弁座とし、該第１弁座上へ第１玉弁26を載置させて上記正立時用空気吸込み防止弁25としている。その小内径部の前壁部分に既述透孔21を穿設して射出筒４後壁に穿設した弁孔17と連通させ、又該図１にあってはその小内径部下端内面を上部小径のテーパ状をなす第２弁座27とし、該弁座とその下方内面に付設した複数の突子上へ載置させた第２玉弁28とで、倒立時用の空気吸込み防止弁29を形成している。
【００１２】
上記構成において、図１が示す状態からトリガー５を引寄せすると、プランジヤ６が後退し、シリンダ内が高圧化することで液体出入路９から射出筒４内へ入った液体は吐出弁８を開き、射出筒前端へ嵌合されたノズル19から噴出する。
【００１３】
次いでトリガー５を離すと、該トリガーを前方付勢させているバネ板10がトリガーを前方へ揺動させ、プランジヤ６を前方へ摺動させることでシリンダ内は負圧化し、すると吸込み弁７が開いて容器体内液体を液体出入路９を通って吸込む。尚このとき正立用空気吸込み防止弁25は閉塞しているため、溝24、および透孔21を通って容器体内液面上方の空気がシリンダ３内へ入ることはない。
【００１４】
倒立使用の際は、吸上げパイプ23下端が液面上方へ露出し、又正立時用空気吸込み防止弁25の第１玉弁26は自重により第１弁座を離れるため開弁する。倒立時用空気吸込み弁29の第２玉弁28は逆にその上方に設けられた第２弁座27に着座してその弁を閉塞する。
【００１５】
該状態からトリガー５を引寄せするとシリンダ内液体はプランジヤ６後退による加圧により正立時と同様に吐出弁８を開いてノズル19から噴出するが、トリガーを離し、プランジヤ６が前進すると、吸込み弁７が開いて主筒２内液体を吸込むため、倒立時用液体吸込み路を形成する溝24を通って容器体内上方の液体をシリンダ３内へ吸入する。尚既述倒立時用空気吸込み弁25を設けなくても倒立使用時における液体噴出に何等支障を来さないが、その弁25を設けない場合は、容器体内液面と吸上げパイプ内液面とは倒立時ほぼ同じとなるため、容器体内液体が減少するにつれて吸上げパイプ内に空気が入ることとなり、よって倒立使用の終了後、正立に戻して使用する際、上記吸上げパイプ内に入っていた空気は吸上げ液体と共にシリンダ内へ入り、液体噴出の際、その空気も共に噴出されることとなる。
【００１６】
図２が示す実施形態は、容器体口頸部へ嵌合させるキャップ状部１内から連結筒31を起立し、該連結筒頂板31a の後部を開口して該開口周縁から第１弁筒22を起立したものであり、溝24下端の筒壁部分を開口し、かつ該開口と連通する連通溝32を第１弁筒内壁面下端まで垂設している。尚該実施形態では射出筒後壁の弁孔を、第１弁筒に穿設した透孔21で兼用して該透孔に吸込み弁体16を圧接させて吸込み弁７としている。
その他構造は第１実施形態の場合とほぼ同様である。
【００１７】
図３が示す実施形態は、倒立時用空気吸込み防止弁29を、第１弁筒22の下部内へ嵌着させた第２弁筒35の内面に設け、かつ該第２弁筒下部内から吸上げパイプ23を垂下している。尚該実施形態にあっては連結筒31の頂板31a を、連結筒の下端内面から第１弁筒22の下端まで傾斜起立させて設けており、このようにすることで、倒立使用時において、容器体内液体を残さずに倒立時用液体吸込み路形成用の溝24を通ってシリンダ内へ吸込みさせることが出来るよう設けている。その溝24下端は上記傾斜部分上端内面へ開口させる。
【００１８】
図４および図５の実施形態は、シリンダ３を主筒上部前面から斜下前方へ傾斜させて突出している。
又第１弁筒22の透孔21と射出筒後壁の弁孔17とを、第１弁筒外面に穿設した通路溝36で連通させたものである。
【００１９】
又図５は、倒立時用の空気吸込み防止弁29の第２玉弁28の支持を、第１弁筒下部周壁の一部を切欠き、かつ該切欠き下縁から上内方へ突設した支持片37で行っている。該支持片先端の筒壁部分も切欠いており、吸上げパイプ23内を通って上昇した液体は、その支持片側方を通って上昇可能に設けている。
【００２０】
【発明の効果】
本発明は既述構成とするもので、従来容器体口頸部へ嵌合させるキャップ状部内から起立する主筒内に設けられていた吸込み弁および吐出弁を、その主筒上部から前方突出する射出筒内に設け、その主筒内に射出筒後端部内と連通する透孔21を有する第１弁筒22を嵌着させて、該第１弁筒下部から吸上げパイプ23を垂下させると共に、該第１弁筒外面と主筒内面との間に容器体上部内と第１弁筒上部内とを連通させる倒立時用液体吸込み路形成用の溝24を穿設し、又第１弁筒上部に設けた上記溝24の開口部24a と該開口部下方の透孔21との間の第１弁筒部分内へ玉弁式の正立時用空気吸込み防止弁25を設けたから、上記構成の第１弁筒22を主筒２内へ嵌着させるだけで正倒立兼用のトリガー式液体噴出器とすることが出来、その第１弁筒22はキャップ状部１内から起立する主筒２内へ嵌着させるから、その第１弁筒22が、容器体口頸部へ該液体噴出器のキャップ状部１を着脱させる際に邪魔となることがない。
【００２１】
請求項２の場合のように、上記透孔21と吸上げパイプ23上端との間の第１弁筒部分内へ、玉弁式の倒立時用空気吸込み防止弁29を設けることで、倒立使用時において上記吸上げパイプ内へ空気が入ることがなく、よって倒立使用の後に正立状態に戻して液体噴出させる際、噴出液体と共に上記空気が噴出することがない。
【００２２】
請求項３の場合のように、第１弁筒22の下部内に倒立時用の玉弁式空気吸込み弁29を有する第２弁筒35を嵌着させ、該第２弁筒下部から吸上げパイプ23を垂下させることで、第１弁筒22の下部内へ倒立時用の玉弁式空気吸込み弁29を設ける場合に比べてその構造を簡易化することが出来る。
【図面の簡単な説明】
【図１】  本発明液体噴出器の断面図である。
【図２】  第２実施形態で示す、液体噴出器の断面図である。
【図３】  第３実施形態で示す、液体噴出器の断面図である。
【図４】  第４実施形態で示す、液体噴出器の断面図である。
【図５】  第５実施形態で示す、液体噴出器の断面図である。
【符号の説明】
１…キャップ状部          ２…主筒
７…吸込み弁              ８…吐出弁
11…棒状弁部材            22…第１弁筒
24…溝
【図１】
0003741338.tif 000002
【図２】
0003741338.tif 000003
【図３】
0003741338.tif 000004
【図４】
0003741338.tif 000005
【図５】
0003741338.tif 000006